(57)【要約】      （修正有）【課題】補助断熱材によって床下空間における断熱効果を高めるとともに、補助断熱材が台輪の換気孔から流入する外気によって経年変化することを防ぐことが可能な床下空間の断熱構造を提供する。【解決手段】既存断熱材４の補助となる補助断熱材６が床体３の下面に沿って設けられ、補助断熱材６の端部６ａは、基礎１の上端部の近傍に隙間Ｓ２を空けて配置されており、基礎１と床体３との間には、換気孔を利用して基礎１と床体３との間に装着される装着部１１と、装着部１１と連結され、かつ補助断熱材６の端部６ａを支持するとともに被覆するカバー部１６と、を備える端部被覆部材が設けられている。【選択図】図１
2016003432.tif 000002
【特許請求の範囲】
【請求項１】
基礎と、当該基礎上に設置される床体と、からなる床下空間の断熱構造において、
前記基礎と前記床体との間には、パッキン材と、前記床下空間と屋外とを連通する換気孔と、が介在しており、
前記床体は、床板と、複数の根太と、当該複数の根太間に装填される既存断熱材と、を備えており、
前記既存断熱材の補助となる補助断熱材が前記床体の下面に沿って設けられ、当該補助断熱材の前記パッキン材側の端部は、前記基礎の上端部の近傍に隙間を空けて配置されており、
前記基礎と前記床体との間には、前記換気孔を利用して前記基礎と前記床体との間に装着される装着部と、当該装着部と連結され、かつ前記補助断熱材の前記パッキン材側の端部を支持するとともに被覆するカバー部と、を備える端部被覆部材が設けられていることを特徴とする床下空間の断熱構造。
【請求項２】
請求項１に記載の床下空間の断熱構造において、
前記カバー部は、断面Ｌ字状に形成された本体カバーを有しており、
当該本体カバーによって、前記補助断熱材における前記パッキン材側の端部のうち前記パッキン材に対向する端面と下面とを被覆していることを特徴とする床下空間の断熱構造。
【請求項３】
請求項１または２に記載の床下空間の断熱構造において、
前記端部被覆部材は、前記装着部と前記カバー部の間隔を保持しつつ、当該装着部とカバー部とを連結する連結部を備えることを特徴とする床下空間の断熱構造。
【請求項４】
請求項３に記載の床下空間の断熱構造において、
前記パッキン材は、前記基礎の上面における屋外側に寄せて配置されており、
前記端部被覆部材は、前記基礎の上面における前記床下空間側に設置され、かつ前記連結部を支持する支持部を備えることを特徴とする床下空間の断熱構造。
【請求項５】
請求項１〜４のいずれか一項に記載の床下空間の断熱構造において、
前記パッキン材は、複数の前記換気孔を有する台輪であり、
前記換気孔は、前記台輪の幅方向に沿って貫通形成され、かつ前記台輪の長さ方向に複数並設されており、
前記装着部は、前記複数の換気孔のうち少なくとも一つの前記換気孔の内部に挿入固定されていることを特徴とする床下空間の断熱構造。
【請求項６】
請求項１〜４のいずれか一項に記載の床下空間の断熱構造において、
前記パッキン材は、前記基礎の長さ方向に間隔を空けて複数配置される基礎パッキンであり、
前記換気孔は、前記複数の基礎パッキン間に複数形成される隙間であり、
前記装着部は、前記複数の換気孔のうち少なくとも一つの前記換気孔の内部に挿入固定されていることを特徴とする床下空間の断熱構造。
【発明の詳細な説明】
【技術分野】
【０００１】
本発明は、床下空間に設けられた断熱構造に関する。
【背景技術】
【０００２】
建物、特に住宅を構築する際には、まず基礎を構築し、この基礎の上端面に台輪を敷き、この台輪上に床体や壁体等の構造部材を設置していくといった施工方法が採られている（例えば特許文献１参照）。
特許文献１に記載の台輪は、床下空間と屋外とを連通する換気孔が幅方向に形成されている換気孔付きの台輪であり、構築される基礎の全周にわたって設けられる。そして、換気孔を介して継続的に床下空間の換気を行うことができる。
【先行技術文献】
【特許文献】
【０００３】
【特許文献１】特開２００２−０７０１８７号公報
【発明の概要】
【発明が解決しようとする課題】
【０００４】
ところで、特に冬季等の寒冷な時期においては床下空間の温度が低く、台輪上に設置された床体に元々設けられている断熱材だけでは高い断熱効果を得にくい場合がある。そのため、台輪上に設置された床体に元々設けられている断熱材に対し、さらに、なるべく基礎に近づけた状態で、すなわち、より広い範囲に補助の断熱材を付加して床全体の断熱効果を高めることが望まれていた。
しかし、なるべく基礎に近づいた位置に設けられる補助の断熱材は、その端部が、台輪の換気孔から流入する外気に直接晒される場合がある。そして、このように外気に晒されると、補助の断熱材が経年変化したり、例えば補助断熱材が繊維系断熱材の場合には、その繊維間に冷たい空気が入り込んだりして、高い断熱効果を維持しにくくなるという問題があった。
【０００５】
本発明の課題は、補助断熱材によって床全体の断熱効果を高めるとともに、その高い断熱効果を維持することが可能な床下空間の断熱構造を提供することを目的とする。
【課題を解決するための手段】
【０００６】
請求項１に記載の発明は、例えば図１〜図５に示すように、基礎１と、当該基礎１上に設置される床体３と、からなる床下空間Ｕの断熱構造において、
前記基礎１と前記床体３との間には、パッキン材（例えば台輪２、基礎パッキン２０）と、前記床下空間Ｕと屋外とを連通する換気孔（例えば換気孔２ｂ、換気孔２１）と、が介在しており、
前記床体３は、床板３ａと、複数の根太３ｂと、当該複数の根太３ｂ間に装填される既存断熱材４と、を備えており、
前記既存断熱材４の補助となる補助断熱材６が前記床体３の下面に沿って設けられ、当該補助断熱材６の前記パッキン材側の端部６ａは、前記基礎１の上端部の近傍に隙間Ｓ２を空けて配置されており、
前記基礎１と前記床体３との間には、前記換気孔を利用して前記基礎１と前記床体３との間に装着される装着部１１と、当該装着部１１と連結され、かつ前記補助断熱材６の前記パッキン材側の端部６ａを支持するとともに被覆するカバー部１６と、を備える端部被覆部材１０が設けられていることを特徴とする。
【０００７】
請求項１に記載の発明によれば、既存断熱材４の補助となる補助断熱材６が床体３の下面に沿って設けられているので、当該補助断熱材６によって床下空間Ｕにおける断熱効果を高めることができる。しかも、補助断熱材６の台輪２側の端部６ａは、基礎１の上端部の近傍に隙間Ｓ２を空けて配置されているので、当該隙間Ｓ２を通じた換気を可能としつつ、端部６ａをなるべく基礎１に近づけた状態にして既存断熱材４のより広い範囲に対して補助断熱材６を設けることができる。つまり、床下空間Ｕの換気を可能としつつ、床全体の断熱効果の向上に寄与できる。
また、基礎１と床体３との間には、換気孔を利用して基礎１と床体３との間に装着される装着部１１と、当該装着部１１と連結され、かつ補助断熱材６のパッキン材側の端部６ａを支持するとともに被覆するカバー部１６と、を備える端部被覆部材１０が設けられているので、当該端部被覆部材１０のカバー部１６によって、補助断熱材６のパッキン材側の端部６ａを支持できるとともに被覆することができる。これによって、補助断熱材６が、換気孔から流入する外気に晒されにくくなるので、外気による当該補助断熱材６の端部６ａの経年変化を抑えたり、例えば補助断熱材６が繊維系断熱材の場合に、その繊維間に冷たい空気を入り込ませにくくしたりすることができる。その結果、補助断熱材６による断熱効果を維持することが可能となる。
さらに、端部被覆部材１０のカバー部１６によって、補助断熱材６のパッキン材側の端部６ａが自重で弛まないようにすることができ、補助断熱材６による断熱効果の向上に寄与できる。また、補助断熱材６のパッキン材側の端部６ａと基礎１とが接近した状態となるが、端部被覆部材１０自体を基礎１と床体３との間に設けるため、補助断熱材６のパッキン材側の端部６ａと基礎１とが接近して作業がしにくくなるようなことがなく、施工性の向上にも貢献することができる。
【０００８】
請求項２に記載の発明は、例えば図１，図３に示すように、請求項１に記載の床下空間Ｕの断熱構造において、
前記カバー部１６は、断面Ｌ字状に形成された本体カバー１６ａを有しており、
当該本体カバー１６ａによって、前記補助断熱材６における前記パッキン材側の端部６ａのうち前記パッキン材に対向する端面と下面とを被覆していることを特徴とする。
【０００９】
請求項２に記載の発明によれば、断面Ｌ字状に形成された本体カバー１６ａによって、補助断熱材６におけるパッキン材側の端部６ａのうちパッキン材に対向する端面と下面とを被覆しているので、カバー部１６によって、補助断熱材６のパッキン材側の端部６ａを確実に被覆できるとともに支持することができる。
【００１０】
請求項３に記載の発明は、例えば図１，図３に示すように、請求項１または２に記載の床下空間Ｕの断熱構造において、
前記端部被覆部材１０は、前記装着部１１と前記カバー部１６の間隔を保持しつつ、当該装着部１１とカバー部１６とを連結する連結部１７を備えることを特徴とする。
【００１１】
請求項３に記載の発明によれば、端部被覆部材１０は、装着部１１とカバー部１６の間隔を保持しつつ、当該装着部１１とカバー部１６とを連結する連結部１７を備えるので、当該連結部１７によって装着部１１とカバー部１６の間隔を保持できるとともに、装着部１１とカバー部１６とを連結することができる。これによって、補助断熱材６の台輪２側の端部６ａが基礎１に近づきすぎることを防ぐことができるので、床下空間Ｕの換気と、カバー部１６による補助断熱材６の台輪２側の端部６ａの支持および被覆との両立が可能となる。
【００１２】
請求項４に記載の発明は、例えば図１〜図３に示すように、請求項３に記載の床下空間Ｕの断熱構造において、
前記パッキン材は、前記基礎１の上面における屋外側に寄せて配置されており、
前記端部被覆部材１０は、前記基礎１の上面における前記床下空間Ｕ側に設置され、かつ前記連結部１７を支持する支持部１８を備えることを特徴とする。
【００１３】
請求項４に記載の発明によれば、端部被覆部材１０は、基礎１の上面における床下空間Ｕ側に設置され、かつ連結部１７を支持する支持部１８を備えるので、当該支持部１８によって連結部１７を支持し、当該連結部１７の位置を保持することができる。また、このように支持部１８によって連結部１７を支持することによって、延いてはカバー部１６の位置を保持することもできるため、結果的に、補助断熱材６のパッキン材側の端部６ａをより確実に支持することができる。
【００１４】
請求項５に記載の発明は、例えば図１〜図４に示すように、請求項１〜４のいずれか一項に記載の床下空間Ｕの断熱構造において、
前記パッキン材は、複数の前記換気孔２ｂを有する台輪２であり、
前記換気孔２ｂは、前記台輪２の幅方向に沿って貫通形成され、かつ前記台輪２の長さ方向に複数並設されており、
前記装着部１１は、前記複数の換気孔２ｂのうち少なくとも一つの前記換気孔２ｂの内部に挿入固定されていることを特徴とする。
【００１５】
請求項５に記載の発明によれば、装着部１１は、複数の換気孔２ｂのうち少なくとも一つの換気孔２ｂの内部に挿入固定されているので、当該装着部１１を介して端部被覆部材１０を台輪２に対して確実に設けることができる。
また、装着部１１を、複数の換気孔２ｂのうち少なくとも一つの換気孔２ｂに装着させて端部被覆部材１０を台輪２に設けることができるので、その他の複数の換気孔２ｂを装着部１１によって閉塞せずに済む。これによって、台輪２の換気性能を著しく低下させることを防ぐことができる。
【００１６】
請求項６に記載の発明は、例えば図５に示すように、請求項１〜４のいずれか一項に記載の床下空間Ｕの断熱構造において、
前記パッキン材は、前記基礎１の長さ方向に間隔を空けて複数配置される基礎パッキン２０であり、
前記換気孔２１は、前記複数の基礎パッキン２０，２０間に複数形成される隙間であり、
前記装着部１１は、前記複数の換気孔２１のうち少なくとも一つの前記換気孔２１の内部に挿入固定されていることを特徴とする。
【００１７】
請求項６に記載の発明によれば、装着部１１は、前記複数の換気孔２１のうち少なくとも一つの前記換気孔２１の内部に挿入固定されているので、当該装着部１１を介して端部被覆部材１０を、基礎１と床体３との間に対して確実に設けることができる。
また、装着部１１を、複数の換気孔２１のうち少なくとも一つの換気孔２１に装着させて端部被覆部材１０を基礎１と床体３との間に設けることができるので、その他の複数の換気孔２１を装着部１１によって閉塞せずに済む。これによって、基礎１と床体３との間における換気性能を著しく低下させることを防ぐことができる。
【発明の効果】
【００１８】
本発明によれば、補助断熱材によって床全体の断熱効果を高めるとともに、その高い断熱効果を維持することが可能となる。
【図面の簡単な説明】
【００１９】
【図１】本発明に係る床下空間の断熱構造を示す側断面図である。
【図２】パッキン材として用いられる換気孔付きの台輪の一部を示す斜視図である。
【図３】端部被覆部材を示す分解斜視図である。
【図４】異なる構成の固定部を備える端部被覆部材を示す図である。
【図５】パッキン材として複数の基礎パッキンを用いた場合の形態を示す図である。
【発明を実施するための形態】
【００２０】
以下、図面を参照して本発明の実施の形態について説明する。
なお、本実施の形態の床下空間Ｕの断熱構造が適用される建物は、壁や床等の建物の構成要素を予め工場にてパネル化しておき、施工現場でこれらのパネルを組み立てるパネル工法で構築される。
【００２１】
建物の床下空間Ｕは、図１に示すように、基礎１と、当該基礎１上に設置される床体３と、からなる。また、基礎１と床体３との間には、パッキン材と、床下空間Ｕと屋外とを連通する換気孔と、が介在している。より具体的には、パッキン材として、複数の換気孔２ｂを有する台輪２が、基礎１と床体３との間に介在している。
基礎１は、上部構造である建物本体を支える建物の下部構造であり、特に立ち上がり部を有するものを指している。また、基礎１には、当該基礎１の上面から上方に突出するアンカーボルト１ａが埋設されている。
【００２２】
台輪２は、基礎１の上面の長手方向に沿って配置される台輪本体２ａと、当該台輪本体２ａをその幅方向に貫通するようにして形成された複数の換気孔２ｂと、を有する。
【００２３】
台輪本体２ａは、長尺板状に形成され、基礎１の長手方向に沿って配置されている。
また、台輪本体２ａには、当該台輪本体２ａの長さ方向に細長く形成されたアンカーボルト挿通用の貫通孔２ｃが複数形成されており、全体的に梯子のような形状に構成されている。
また、台輪本体２ａの長手方向両端部には隣接する台輪本体２ａの端部と凹凸嵌合し合うことができるように凹凸部２ｄが形成されている。
さらに、台輪本体２ａにはビス孔２ｅが形成されており、台輪２は、当該ビス孔２ｅから挿入されたビス（図示せず）によって基礎１の上面に固定されている。
【００２４】
換気孔２ｂは、台輪本体２ａをその幅方向に貫通するようにして形成されており、さらに、台輪本体２ａの長さ方向に複数並設されている。すなわち、台輪２は、床下空間Ｕと屋外とを連通する換気孔２ｂを複数備えていることになる。本実施の形態では、複数の換気孔２ｂの開口部分の有効換気面積が台輪本体２ａの長さ４ｍあたり３００ｃｍ２（平方センチメートル）以上に設定されており、必要十分な換気量を確保することができるようになっている。なお、有効換気面積については、これに限定されるものではない。
さらに、換気孔２ｂは、図２に示すように、四角筒状に形成されており、貫通孔２ｃのある部分は、当該換気孔２ｂと貫通孔２ｃは空間的につながりのある状態となっている。すなわち、貫通孔２ｃを挟んで対向する換気孔２ｂ，２ｂ同士は、一つの換気孔２ｂとして取り扱いが可能であり、後述する端部被覆部材１０の装着には、これら対向する換気孔２ｂ，２ｂ同士を１セットの換気孔２ｂとして用いている。
【００２５】
台輪２の幅方向の長さは、基礎１の上面の幅方向の長さよりも短く設定されている。そして、台輪２は、基礎１の上面における屋外側に寄せて配置されている。これによって、基礎１の上面における床下空間Ｕ側と床体３との間には隙間Ｓ１が形成されている。
【００２６】
床体３は、図１に示すように、床板３ａと、複数の根太３ｂと、当該複数の根太３ｂ，３ｂ間に装填される既存断熱材４と、を備える。
なお、本実施の形態の床体３は、上述のように建物自体がパネル工法で建築されるため、床板３ａと根太３ｂと既存断熱材４とを備えた構造を適用した床パネルが採用されている。より詳細に説明すると、床パネル３は、縦横の框材（根太３ｂ）が矩形状に組み立てられるとともに、矩形枠の内部に複数の桟材（根太３ｂ）が組み付けられて枠体が構成され、この枠体の上面に面材（床板３ａ）が貼設されたものである。そして、隣り合う框材と桟材との間および隣り合う桟材間に、グラスウールやロックウール等からなる既存断熱材４が装填されている。
また、床パネル３は、当該床パネル３と等しい高さに設定されるとともに建物本体の周囲に亘って設けられる半土台３ｃとともに床を構成している。また、当該半土台３ｃの外側面の下端部には、水切り部材３ｄが取り付けられている。なお、この水切り部材３ｄの内側に、後述する本体軸部１２の長さ方向一端部や固定部１３、締結部１４等が設けられて、屋外側から遮蔽される。
【００２７】
床パネル３および半土台３ｃの上には、図１に示すように壁体５が立設されている。当該壁体５も、床体３と同様に、壁パネルによって構成されている。すなわち、壁パネル５は、矩形状の枠体を構成する框材５ａと、複数の桟材５ｂと、一方および他方の壁面を構成する面材５ｃ，５ｄと、を備える。框材５ａには、アンカーボルト１ａを挿通させるための貫通孔が形成されており、壁パネル５は、基礎１との間に床パネル３および半土台３ｃを介在させた状態で、アンカーボルト１ａを介して基礎１に固定されている。
【００２８】
また、床全体の断熱効果を高めるために、床体３の下面には、当該床体３の下面に沿って、グラスウールやロックウール等からなる補助断熱材６が設けられている。
補助断熱材６は、床体３の下面および既存断熱材４の下面のうち地盤に露出する部分の略全面を覆うようにして設けられることが望ましい。ただし、当該補助断熱材６の台輪２側の端部６ａは、図１に示すように、基礎１の上端部の近傍に隙間Ｓ２を空けて配置されている。すなわち、隙間Ｓ２を確保することによって床下換気を可能としている。
なお、図示はしないが、補助断熱材６のうち、台輪２側の端部６ａを除く、当該端部よりも中央側の位置は、釘やステープル等によって床体３の根太３ｂに留め付けられている。
また、本実施の形態の補助断熱材６は、上述のようにグラスウールやロックウール等の繊維系断熱材が使用されている。すなわち、繊維系断熱材の場合、その形状の変形自由度が高いため、狭い床下空間Ｕであっても取り扱いやすいという利点がある。ただし、これに限られるものではなく、発泡樹脂系の断熱材を使用してもよい。
【００２９】
そして、補助断熱材６の台輪２側の端部６ａは、図１に示すように、台輪２に設けられた端部被覆部材１０によって支持されている。
このような端部被覆部材１０は、図１，図３に示すように、装着部１１と、カバー部１６と、連結部１７と、支持部１８と、を備える。
なお、カバー部１６を除いた構成の端部被覆部材１０は、補助断熱材６の台輪２側の端部６ａの長さ方向に複数設けられ、カバー部１６は、これら複数の端部被覆部材１０（カバー部１６を除く構成）に共通して設けられるものとする。
【００３０】
装着部１１は、複数の換気孔２ｂのうち少なくとも一つの換気孔２ｂの内部に挿入固定されることによって台輪２に装着されている。
より詳細に説明すると、当該装着部１１は、本体軸部１２と、固定部１３と、締結部１４と、押さえ部１５と、を有する。
【００３１】
本体軸部１２は、金属製のシャフトであり、台輪２の換気孔２ｂに挿入され、台輪２の幅方向に沿って配置されている。
また、本体軸部１２の長さ方向両端部には雄ネジ１２ａが形成されている。なお、当該雄ネジ１２ａは、本体軸部１２の長さ方向に亘って形成されていてもよい。
【００３２】
固定部１３は、台輪２の屋外側面に当接して配置される板状体であり、本体軸部１２が挿通される貫通孔１３ａが中央に形成されている。
すなわち、当該固定部１３は、台輪２の換気孔２ｂの開口よりも面積が広く設定されており、台輪２の屋外側面に当接配置される。
また、貫通孔１３ａには本体軸部１２の長さ方向一端部が挿通され、固定部１３よりも屋外側に位置する本体軸部１２の長さ方向一端部に形成された雄ネジ１２ａには、締結部１４であるナットが捩じり設けられている。
また、固定部１３は、台輪２の換気孔２ｂに挿入されて、当該換気孔２ｂの内側面に弾性的に引っ掛かる爪状の引掛部１３ｂを備えている。当該引掛部１３ｂは、固定部１３の台輪２側の面の上下に二つ設けられており、換気孔２ｂへの挿入時に、換気孔２ｂの上側と下側の内側面に引っ掛かる。
さらに、固定部１３は、当該固定部１３に一体形成されるとともにアーチ状に形成され、端部が、基礎１の屋外側面に当接するバネ１３ｃを備えている。当該バネ１３ｃは、固定部１３の本体部分を、台輪２から離間させる方向に付勢するためのものである。このように固定部１３の本体部分を、台輪２から離間させる方向に付勢すれば、当該本体部分と締結部１４であるナットとの摩擦が強くなり、ナット１４の緩みが生じにくくなるという利点がある。さらに、本体軸部１２と当該本体軸部１２の長さ方向他端部側に設けられる他の部材（後述するカバー部１６、連結部１７）を屋外側に引き寄せることができ、当該他の部材の取付状態の維持にも寄与している。
【００３３】
図４は、固定部１３の他の例（固定部１３Ａ）を示している。当該固定部１３Ａは、その両側端部に設けられるバネ１３Ａｃ，１３Ａｃを備える。
バネ１３Ａｃ，１３Ａｃは、本体軸部１２が挿入された換気孔２ｂの両側の換気孔２ｂ，２ｂに対して挿入されるものである。また、当該バネ１３Ａｃ，１３Ａｃは、固定部１３Ａに一体形成されるとともにアーチ状に形成され、先端部が、換気孔２ｂの内側面に引っ掛かった状態となっている。また、図示はしないが、当該バネ１３Ａｃ，１３Ａｃの先端部における高さ方向の上下端部も、換気孔２ｂの上下の内側面に引っ掛かった状態となっているものとする。
このような固定部１３Ａによれば、固定部１３Ａの両側端部に設けられたバネ１３Ａｃ，１３Ａｃによって固定部１３Ａの水平方向の位置を固定することができる。さらに、上述のようにバネ１３Ａｃ，１３Ａｃの先端部における高さ方向の上下端部も、換気孔２ｂの上下の内側面に引っ掛かった状態となっていれば、固定部１３Ａの上下方向の位置も固定することができる。その結果、端部被覆部材１０の取付状態を良好なものとすることができるので好ましい。
【００３４】
また、図示はしないが、固定部１３，１３Ａの他の例として、台輪２（パッキン材）と基礎１との間および台輪２（パッキン材）と床体３との間に差し込むことが可能な複数の差込片を有する固定部を採用してもよい。すなわち、当該差込片は、固定部１３の引掛部１３ｂや、固定部１３Ａのバネ１３Ａｃ，１３Ａｃのように、固定部自体を、台輪２（パッキン材）の屋外側面に取り付ける機能を有するものである。
そして、このように差込片を、台輪２と基礎１との間および台輪２と床体３との間のような狭い箇所に差し込むことができれば、固定部自体の取付安定性を格段に向上でき、延いては、端部被覆部材１０の取付状態を格段に良好なものとすることができるので好ましい。
【００３５】
押さえ部１５は、固定部１３と対になる板状体であり、台輪２の床下空間Ｕ側の側面に当接して配置されている。また、当該押さえ部１５の中央には、本体軸部１２が挿通される貫通孔１５ａが形成されている。
当該押さえ部１５は、台輪２と後述する連結部１７との間に介在しており、連結部１７が台輪２に接触することを防ぐ役目を担っている。
【００３６】
カバー部１６は、装着部１１と連結され、かつ補助断熱材６の台輪２側の端部６ａを支持するとともに被覆するものであり、当該端部６ａの長さ方向に沿って長尺に形成されている。また、当該カバー部１６と基礎１の上端部の近傍との間には、通気のための隙間Ｓ２が形成される。すなわち、隙間Ｓ２を確保できる位置にカバー部１６が設けられることになる。
より詳細に説明すると、カバー部１６は、断面Ｌ字状に形成されたアングル材状の本体カバー１６ａを有しており、当該本体カバー１６ａによって、補助断熱材６における台輪２側の端部のうち台輪２に対向する端面と下面とを被覆している。また、当該本体カバー１６ａの垂直面部分にはネジ孔１６ｂが形成されており、カバー部１６と後述する連結部１７とを連結させるためのネジ１６ｃが挿通される。
また、カバー部１６は、本体カバー１６ａの上端部に一体形成され、床体３および既存断熱材４の下面に当接する上面部１６ｄを備える。上面部１６ｄは、床体３の根太３ｂに対してビス留めされてもよい。
なお、本実施の形態の上面部１６ｄは、本体カバー１６ａの上端部から基礎１側に突出して設けられているが、これに限られるものではなく、基礎１とは反対側に突出して設けられていてもよい。
【００３７】
連結部１７は、装着部１１とカバー部１６の間隔を保持しつつ、当該装着部１１とカバー部１６とを連結するものである。当該連結部１７は棒状（軸）の部材であり、長さ方向両端部に雌ネジ１７ａが形成されている。
連結部１７の長さは、台輪２からカバー部１６までの間隔を規定するものである。すなわち、基礎１の上面の幅寸法や補助断熱材６における台輪２側の端部６ａの位置等のような他の要素の位置に応じて、長さの異なる連結部１７を用いれば、台輪２からカバー部１６までの間隔を適宜変更することができる。また、この連結部１７の長さ次第で、隙間Ｓ２の間隔も適宜変更されることになる。
当該連結部１７の長さ方向一端部の雌ネジ１７ａには、本体軸部１２の長さ方向他端部に形成された雄ネジ１２ａが捩じ込まれる。そして、この連結部１７の長さ方向一端部は、押さえ部１５に当接する。
また、当該連結部１７の長さ方向一端部の雌ネジ１７ａには、カバー部１６を留め付けるネジ１６ｃが捩じ込まれる。そして、この連結部１７の長さ方向他端部は、カバー部１６に当接する。
【００３８】
支持部１８は、基礎１の上面における床下空間Ｕ側に設置され、かつ連結部１７を支持するものである。すなわち、台輪２は、上述のように基礎１の上面における屋外側に寄せて配置され、基礎１の上面における床下空間Ｕ側と床体３との間には隙間Ｓ１が形成されている。そして、当該隙間Ｓ２を通過する連結部１７は宙に浮いた状態となっている。そのため、基礎１の上面における床下空間Ｕ側に設置される支持部１８によって、連結部１７を支持する。
より詳細に説明すると、支持部１８は、四角いブロック状に形成されており、高さ寸法が、隙間Ｓ１の上下の長さと略等しく設定されている。また、その中央には、連結部１７が挿通される貫通孔１８ａが形成されている。なお、その素材は特に限定されるものではないが、当該支持部１８を隙間Ｓ１に挿入しやすくするために、クッション性を有するもの（例えばゴム・発泡プラスチック等の樹脂）を採用してもよい。
【００３９】
次に、以上のような構成の端部被覆部材１０によって補助断熱材６の台輪２側の端部を支持・被覆する施工手順について説明する。
なお、床下空間Ｕは、建物の建築時に既に施工完了している。すなわち、補助断熱材６の施工および端部被覆部材１０の施工は、いわゆるリフォーム時に行われるものである。その際、床下空間Ｕ側の作業は、作業員が床下空間Ｕに入って行う。
また、リフォーム時だけに限らず、新築時に行われるものであってもよい。
【００４０】
まず、補助断熱材６を、釘やステープル等によって床体３の根太３ｂに留め付けることによって、床体３の下面に沿って設ける。なお、この時に、当該補助断熱材６の端部６ａを根太３ｂに留め付けてもよいし、端部被覆部材１０の取り付けが完了した後に、根太３ｂに留め付けてもよい。
【００４１】
続いて、固定部１３を、その引掛部１３ｂを換気孔２ｂの内側面に引っ掛けるようにして、台輪２の屋外側面に当接するように取り付ける。
また、本体軸部１２を、固定部１３の貫通孔１３ａおよび台輪２の換気孔２ｂに挿通させ、本体軸部１２の長さ方向一端部（屋外側の端部）にナット１４を仮締めしておく。
【００４２】
続いて床下空間Ｕ側から、押さえ部１５を、本体軸部１２に対し、当該押さえ部１５の貫通孔１５ａに本体軸部１２の長さ方向他端部を挿通させるようにして取り付ける。
続いて、連結部１７を、本体軸部１２の長さ方向他端部に対し、本体軸部１２の雄ネジ１２ａを連結部１７の雌ネジ１７ａに捩じ込むようにして取り付ける。さらに、仮締めしておいたナット１４をきつく締めて、装着部１１を台輪２に装着させる。
【００４３】
続いて、支持部１８を、連結部１７に対し、当該支持部１８の貫通孔１８ａに連結部１７を挿通させるようにして取り付けて、基礎１の上面における床下空間Ｕ側（すなわち、隙間Ｓ１）に設置する。
【００４４】
以上のような作業を繰り返して、カバー部１６を除く構成の端部被覆部材１０を台輪２の長さ方向に複数設ける。
その後、カバー部１６を、複数の連結部１７の長さ方向他端部に取り付ける。すなわち、ネジ１６ｃを、カバー部１６の本体カバー１６ａに形成されたネジ孔１６ｂに挿通させるとともに連結部１７の雌ネジ１７ａに捩じ込む。
カバー部１６の上面部１６ｄは、ビス等によって、床体３の根太３ｂに適宜留め付けるようにする。
【００４５】
そして、補助断熱材６の端部６ａを、カバー部１６の本体カバー１６ａに設置する。すなわち、本体カバー１６ａの垂直部分と水平部分と床体３の下面とで形成される空間に、補助断熱材６の端部６ａを差し入れるようにする。これによって、補助断熱材６の端部６ａを、カバー部１６によって支持するとともに被覆することができる。
なお、補助断熱材６の端部６ａを本体カバー１６ａに設置した後に、当該補助断熱材６の端部６ａを、床体３の根太３ｂに留め付けるようにすると、カバー部１６の連結部１７への取付作業が行いやすい。
【００４６】
なお、以上のような方法では、カバー部１６を除いた構成の端部被覆部材１０を、補助断熱材６の台輪２側の端部６ａの長さ方向に複数設けて、カバー部１６を、これら複数の端部被覆部材１０（カバー部１６を除く構成）に共通するものとして設けるものとしたが、これに限られるものではない。
すなわち、カバー部１６を除いた構成の一つの端部被覆部材１０と、一つのカバー部１６とを対応させることによって複数のカバー部１６を用いるようにし、隣接するカバー部１６同士を適宜接合させるようにしてもよい。
【００４７】
本実施の形態によれば、既存断熱材４の補助となる補助断熱材６が床体３の下面に沿って設けられているので、当該補助断熱材６によって床下空間Ｕにおける断熱効果を高めることができる。しかも、補助断熱材６の台輪２側の端部６ａは、基礎１の上端部の近傍に隙間Ｓ２を空けて配置されているので、当該隙間Ｓ２を通じた換気を可能としつつ、端部６ａをなるべく基礎１に近づけた状態にして既存断熱材４のより広い範囲に対して補助断熱材６を設けることができる。つまり、床下空間Ｕの換気を可能としつつ、床全体の断熱効果の向上に寄与できる。
また、台輪２には、当該台輪２に装着される装着部１１と、当該装着部１１と連結され、かつ補助断熱材６の台輪２側の端部６ａを支持するとともに被覆するカバー部１６と、を備える端部被覆部材１０が設けられているので、当該端部被覆部材１０のカバー部１６によって、補助断熱材６の台輪２側の端部６ａを支持できるとともに被覆することができる。これによって、補助断熱材６の台輪２側の端部６ａが、台輪２の換気孔２ｂから流入する外気に晒されにくくなるので、外気による当該補助断熱材６の端部６ａの経年変化を抑えたり、補助断熱材６が繊維系断熱材の場合に、その繊維間に冷たい空気を入り込ませにくくしたりすることができる。その結果、補助断熱材６による断熱効果を維持することが可能となる。
さらに、端部被覆部材１０のカバー部１６によって、補助断熱材６の台輪２側の端部６ａが自重で弛まないようにすることができ、補助断熱材６による断熱効果の向上に寄与できる。また、補助断熱材６の台輪２側の端部６ａと基礎１とが接近した状態となるが、端部被覆部材１０自体を台輪２に設けるため、補助断熱材６の台輪２側の端部６ａと基礎１とが接近して作業がしにくくなるようなことがなく、施工性の向上にも貢献することができる。
【００４８】
また、断面Ｌ字状に形成された本体カバー１６ａによって、補助断熱材６における台輪２側の端部６ａのうち台輪２に対向する端面と下面とを被覆しているので、カバー部１６によって、補助断熱材６の台輪２側の端部６ａを確実に被覆できるとともに支持することができる。
【００４９】
また、端部被覆部材１０は、装着部１１とカバー部１６の間隔を保持しつつ、当該装着部１１とカバー部１６とを連結する連結部１７を備えるので、当該連結部１７によって装着部１１とカバー部１６の間隔を保持できるとともに、装着部１１とカバー部１６とを連結することができる。これによって、補助断熱材６の台輪２側の端部６ａが基礎１に近づきすぎることを防ぐことができるので、床下空間Ｕの換気と、カバー部１６による補助断熱材６の台輪２側の端部６ａの支持および被覆との両立が可能となる。
【００５０】
また、端部被覆部材１０は、基礎１の上面における床下空間Ｕ側に設置され、かつ連結部１７を支持する支持部１８を備えるので、当該支持部１８によって連結部１７を支持し、当該連結部１７の位置を保持することができる。また、このように支持部１８によって連結部１７を支持することによって、延いてはカバー部１６の位置を保持することもできるため、結果的に、補助断熱材６の台輪２側の端部６ａをより確実に支持することができる。
【００５１】
また、装着部１１は、複数の換気孔２ｂのうち少なくとも一つの換気孔２ｂの内部に挿入固定されているので、当該装着部１１を介して端部被覆部材１０を台輪２に対して確実に設けることができる。
また、装着部１１を、複数の換気孔２ｂのうち少なくとも一つの換気孔２ｂに装着させて端部被覆部材１０を台輪２に設けることができるので、その他の複数の換気孔２ｂを装着部１１によって閉塞せずに済む。これによって、台輪２の換気性能を著しく低下させることを防ぐことができる。
【００５２】
〔変形例〕
本発明を適用可能な実施形態は上述した実施形態に限定されることなく、本発明の趣旨を逸脱しない範囲で適宜変更可能である。以下、変形例について説明する。以下に説明する変形例は、変更個所を除いて上述した実施形態と同様である。
すなわち、本変形例のパッキン材は、図５に示すように、基礎１の長さ方向に間隔を空けて複数配置される基礎パッキン２０である。そして、このように間隔を空けて複数配置される基礎パッキン２０，２０間には隙間が複数形成されることになる。当該隙間が、換気孔２１として用いられる。
端部被覆部材１０の装着部１１は、当該複数の換気孔２１のうち少なくとも一つの換気孔２１の内部に挿入固定されている。
【００５３】
このような変形例によれば、上述の実施形態と同様に、床下空間Ｕの換気を可能としつつ、床全体の断熱効果の向上に寄与できるとともに、補助断熱材６による断熱効果を維持することが可能となる。
しかも、装着部１１は、前記複数の換気孔２１のうち少なくとも一つの前記換気孔２１の内部に挿入固定されているので、当該装着部１１を介して端部被覆部材１０を、基礎１と床体３との間に対して確実に設けることができる。
また、装着部１１を、複数の換気孔２１のうち少なくとも一つの換気孔２１に装着させて端部被覆部材１０を基礎１と床体３との間に設けることができるので、その他の複数の換気孔２１を装着部１１によって閉塞せずに済む。これによって、基礎１と床体３との間における換気性能を著しく低下させることを防ぐことができる。
【符号の説明】
【００５４】
Ｕ  床下空間
Ｓ２  隙間
１  基礎
２  台輪（パッキン材）
２ｂ  換気孔
３  床体
３ｂ  根太
４  既存断熱材
６  補助断熱材
６ａ  端部
１０  端部被覆部材
１１  装着部
１６  カバー部
２０  基礎パッキン（パッキン材）
２１  換気孔
【図１】
2016003432.tif 000003
【図２】
2016003432.tif 000004
【図３】
2016003432.tif 000005
【図４】
2016003432.tif 000006
【図５】
2016003432.tif 000007